(57)【要約】【課題】既製の着物帯の長手方向の形態の一部をそっくり取り込んだ物品収容具を提供すること、及び、既製の着物帯の幅方向の形態の全部を連続的に取り込んだ物品収容具を提供することである。【解決手段】上面開口のバッグ本体４の外面に意匠部Ｄを形成している。前記バッグ本体４は、底部Ｃの周囲から周壁部Ｐを起立している。前記意匠部Ｄは、既製の着物帯から、この着物帯の長手方向の一部である本体用帯部２２として裁断するとともに、この本体用帯部２２の全体を一体として、前記バッグ本体４の少なくとも前記周壁部Ｐに組み込むことで形成されており、かつ意匠部Ｄと隣接する周壁部分の上に前記本体用帯部２２の幅方向の端部ｅを縫い付けることにより、着物帯の幅方向の形態の全部が連続的にバッグ本体４の表面に表れるように構成された。【選択図】図１
2020018495.tif 000002
【特許請求の範囲】
【請求項１】
既製の着物帯(１００)の長手方向の一部を裁断して得られた帯部(Ｂ)を意匠として利用した物品収容具であって、
前記帯部(Ｂ)の全体を一体として取り込むとともに、
前記着物帯の幅方向の形態の全部が連続的に表面に表れるように構成したことを特徴とする物品収容具。
【請求項２】
上面開口のバッグ本体(４)の外面に意匠部(Ｄ)を形成しており、
前記バッグ本体(４)は、底部(Ｃ)の周囲から周壁部(Ｐ)を起立しており、
前記意匠部(Ｄ)は、既製の着物帯から、この着物帯の長手方向の一部である本体用帯部(２２)として裁断するとともに、この本体用帯部(２２)の全体を一体として、前記バッグ本体(４)の少なくとも前記周壁部(Ｐ)に組み込むことで形成されており、
かつ意匠部(Ｄ)と隣接する周壁部分の上に前記本体用帯部(２２)の幅方向の端部(ｅ)を縫い付けることにより、着物帯の幅方向の形態の全部が連続的にバッグ本体(４)の表面に表れるように構成されたことを特徴とする、既製の着物帯を利用したバッグ。
【請求項３】
前記周壁部(Ｐ)は、相互に向かい合う一対の幅広側部(Ｓｗ)及び相互に向かい合う一対の幅狭側部(Ｓｎ)とで構成されており、
前記本体用帯部(２２)は、着物帯(１００)の長手方向に長く延びており、
この本体用帯部(２２)を、前記底部(Ｃ)の下面から前記一対の幅広側部(Ｓｗ)の外面に亘って組み込むことで前記意匠部(Ｄ)を形成しており、
前記本体用帯部(２２)の幅方向(Ｗ１)と前記幅広側部(Ｓｗ)の幅方向(Ｗ)とが一致していることを特徴とする、請求項２記載の既製の着物帯を利用したバッグ。
【請求項４】
前記一対の幅狭側部(Ｓｎ)の間に架け渡されたバンド部材(３０)を有し、
このバンド部材(３０)は、既製の着物帯(１００)の長手方向の一部であってこの長手方向と同じ向きに長く延びる部分をバンド用帯部(３２)として裁断するとともに、このバンド用帯部の両端部を前記一対の幅狭側部(Ｓｎ)に取り付けてなり、
前記バンド用帯部(３２)の幅方向(Ｗ２)の長さを、前記本体用帯部(２２)の幅方向(Ｗ１)の長さより小としたことを特徴とする、請求項３に記載の既製の着物帯を利用したバッグ。
【請求項５】
既製の着物帯(１００)の長手方向の一部である帯部(Ｂ)を裁断して、この帯部を、その長手方向と同じ方向に折り重ねるとともに、重ね合わせた帯部分(Ｂ１、Ｂ２)同士を、幅方向端部(ｅ)で縫い合わせることで、前記帯部を複数層の布地からなる板状体(５４)に形成して、
既製の着物帯の一面(Ｆ)の形態が板状体(５４)の表面(Ｎ１)から裏面(Ｎ２)に亘って表れるとともに、
既製の着物帯の一面(Ｆ)の幅方向の形態全部が板状体(５４)の一面の形態として表れるように形成し、
かつ前記板状体(５４)の一部にポケット部(５６)を形成してなり、
このポケット部(５６)は、板状体(５４)の裏面(Ｎ２)に、裏面(Ｎ２)側の布地を切断して開口部(５８)を形成して、この開口部(５８)から物品を出し入れ可能な物品収容部(６０)を裏面(Ｎ２)側の布地と表面(Ｎ１)側の布地との間に形成してなることを特徴とする、既製の着物帯を利用した冊子類収容具。
【発明の詳細な説明】
【技術分野】
【０００１】
本発明は、既製の着物帯を利用した物品収容具に関する。
【背景技術】
【０００２】
近年、いわゆる晴れ着などの和装のデザインの美しさを、日常の生活に用いられる道具、具体的にはバッグなどの物品収容具に用いることのニーズが高まっている。
着物用帯の形態をバッグに取り込んだ技術として、使用者の胴体に巻きつけるための帯と、この帯を挿通するための帯通しを外面に付設した箱型のバッグ本体とからなり、利用者の胴体に装着した状態で、前記バッグ本体が和装のお太鼓のように表現されるものが知られている（特許文献１）。
しかしながら、特許文献１のバッグは、装着したときの外観が着物用帯に類似するものであるから、用途としては和装の際に用いるものに限定されてしまう。
着物や着物用帯の表地として使用される布地を、その幅方向に布地の長手方向に延びる複数のテープに裁断して、それら布地テープと同幅の複数の紙テープを籠状のバッグ本体の上に貼付し、さらに紙テープの上に布地テープを、元の布地の絵柄が再現されるように並べて貼付したものが知られている（特許文献２の図３、図１参照）。
しかしながら、特許文献２の手法では、柄付きの布地を複数の布地テープ状に裁断して紙テープの上に貼り付けるから、たとえ元の絵柄が再現されるように布地テープを貼付するといっても、布地テープ同士の間に切断痕が生じ、本来の絵柄の美しさを損なう。
【先行技術文献】
【特許文献】
【０００３】
【特許文献１】特許第５９９３０６９号
【特許文献２】特開２００５?２１８７３６
【非特許文献】
【０００４】
【非特許文献１】“帯バッグの作り方（思い出の帯をリメイクしよう）”、［online］、平成３０年５月１７日、［平成３０年７月９日検索］インターネット（URL:http:// 1533015858349_0）
【発明の概要】
【発明が解決しようとする課題】
【０００５】
近年では、家庭内で使用されなくなった着物帯を、日用品としてリメイクすることの要請が高まっており、既製の着物帯をバッグとしてリメイクしたものもインターネット上において提案されている。
既製の着物帯をバッグとしてリメイクする従来の手法を解説する（非特許文献１）。
（１）まず着物帯をリッパーや目打ちを使用して表地と裏地に解体する。
裏地や中無地は、そのまま内布やポケットに利用できる。
（２）着物帯がくたびれた状態になっている場合には、表地にスチームアイロンを掛けて伸ばす。
（３）表地には接着芯を貼る。
（４）接着芯を貼着した表地を利用してバッグ本体を作り、好みにより、マチを付ける。
（５）バッグ本体に持ち手を付ける。
持ち手には合皮、共布、帯紐、竹などを使用することができる。
【０００６】
非特許文献１では、既製の着物帯は重く生地も分厚いため、縫製が困難である旨を指摘している。
既製の着物帯を表地と裏地とに分解する方法では、そうした困難性を回避することができるが、その代わりに、着物帯本来の重厚感はなくなってしまう。
また着物帯を表地と裏地とに分解した場合には、表地の端をどのように処理するかが問題となる。
一般的には、表地の外周にマージンを残して表地より小さい接着芯を貼付し、前記マージンの全部又は一部を切断し、或いは隣接する部位への縫い代にすることが考えられる。しかしながら、着物帯の表地のマージンを切り取ったり、外部から見えないようにすることで、着物帯の本来の形態のアレンジメントが損なわれてしまう可能性がある。
着物帯のデザインの設計者である職人は、デザインの主要部（利用者が着物帯を身に着けたときの胴正面の部分、或いはお太鼓の部分）に関しては、少なくとも着物帯の幅方向の形態全体が見えることを前提としてデザインを作成するのが通常である。
その際には、使用される時期に応じた季節感その他さまざまな要素を考慮して意匠の構成を決めるのである。
従って、たとえ着物帯の表地のマージン部分の形態であってもデザインから取り除いてしまうことは、職人の本来の作品性を損なうおそれがある。
【０００７】
本発明の第１の目的は、既製の着物帯の長手方向の形態の一部をそっくり取り込んだバッグ及び物品収容具を提供することである。
本発明の第２の目的は、既製の着物帯の幅方向の形態の全部を連続的に取り込んだバッグ及び物品収容具を提供することである。
本発明の第３の目的は、使い方の自由度が大きい、フリータイプのバッグ及び物品収容具を提供することである。
【課題を解決するための手段】
【０００８】
第１の手段は、既製の着物帯を利用した物品収容具であり、
既製の着物帯１００の長手方向の一部を裁断して得られた帯部Ｂを意匠として利用した物品収容具であって、
前記帯部Ｂの全体を一体として取り込むとともに、
前記着物帯の幅方向の形態の全部が連続的に表面に表れるように構成している。
【０００９】
本手段は、本発明の最も広い態様を示しており、図１及び図１１に示す態様を含む。
本発明の要点の一つは、既製の着物帯１００の長手方向の一部を裁断して得られた帯部Ｂを意匠として利用した物品収容具において、前記帯部Ｂの全体を一体として取り込んでことである。帯部Ｂの全体を一体として取り込むとは、例えば前述の先行技術のように既製の着物帯を表地及び裏地に分解することなく、長手方向の一部の形態をそのまま取り込むことを意味する。従って、着物帯独特の形態、例えば重厚感を損なうことがない。
本発明の別の要点は、前記着物帯の幅方向の形態の全部が連続的に物品収容具の表面に表れるように構成していることである。これにより、着物帯を作成した職人が意図した形態をできるだけ損なわずに物品収容具に取り込むことができる。
【００１０】
第２の手段は、既製の着物帯を利用したバッグであり、
上面開口のバッグ本体４の外面に意匠部Ｄを形成しており、
前記バッグ本体４は、底部Ｃの周囲から周壁部Ｐを起立しており、
前記意匠部Ｄは、既製の着物帯から、この着物帯の長手方向の一部である本体用帯部２２として裁断するとともに、この本体用帯部２２の全体を一体として、前記バッグ本体４の少なくとも前記周壁部Ｐに組み込むことで形成されており、
かつ意匠部Ｄと隣接する周壁部分の上に前記本体用帯部２２の幅方向の端部ｅを縫い付けることにより、着物帯の幅方向の形態の全部が連続的にバッグ本体４の表面に表れるように構成されている。
【００１１】
本手段は、前述の物品収容具を、図１に示すようなバッグとした態様を示している。
具体的には、バッグ本体４の周壁部Ｐに、既製の着物帯の長手方向の一部である本体用帯部２２を取り込んで意匠部Ｄを構成している。
こうすることにより、意匠部Ｄを利用者が手に触れることにより、本物の着物帯の手触りや重厚感を実感することができる。
なお、前記周壁部Ｐは自立可能であることが望ましい。
なお、第１の手段で記載したことは、本手段に援用する。
【００１２】
第３の手段は、第２の手段を有し、
前記周壁部Ｐは、相互に向かい合う一対の幅広側部Ｓｗ及び相互に向かい合う一対の幅狭側部Ｓｎとで構成されており、
前記本体用帯部２２は、着物帯１００の長手方向に長く延びており、
この本体用帯部２２を、前記底部Ｃの下面から前記一対の幅広側部Ｓｗの外面に亘って組み込むことで前記意匠部Ｄを形成しており、
前記本体用帯部２２の幅方向Ｗ１と前記幅広側部Ｓｗの幅方向Ｗとが一致している。
【００１３】
本手段では、図１に示すように、本体用帯部２２を、前記底部Ｃの下面から前記一対の幅広側部Ｓｗの外面に亘って組み込んでいる。このようにすることで、既製の着物帯を意匠として適用できる範囲が拡大し、一本の着物帯のうちで本発明に適用できる部分が広がる。
【００１４】
第４の手段は、第２の手段を有し、
前記一対の幅狭側部Ｓｎの間に架け渡されたバンド部材３０を有し、
このバンド部材３０は、既製の着物帯１００の長手方向の一部であってこの長手方向と同じ向きに長く延びる部分をバンド用帯部３２として裁断するとともに、このバンド用帯部の両端部を前記一対の幅狭側部Ｓｎに取り付けてなり、
前記バンド用帯部３２の幅方向Ｗ２の長さを、前記本体用帯部２２の幅方向Ｗ１の長さより小としている。
【００１５】
本手段は、図１に示すように、バッグ本体４に取り付けられたバンド部材３０に、既製の着物帯１００の長手方向の一部を取り込む形態を示している。これにより、一つのバッグ中において既製の着物帯を適用できる範囲がさらに広がる。
前記バンド用帯部３２の幅方向Ｗ２の長さを、前記本体用帯部２２の幅方向Ｗ１の長さより小である。これにより、既製の着物帯が、長手方向の一部が他の部分より幅広であるのもの（いわゆる名古屋帯）である場合、既製の着物の幅広の部分を本体用帯部に、幅狭の部分をバンド用帯部に使い分けることができる。もっとも、本手段の適用は、名古屋帯タイプのものに限定される訳ではない。
【００１６】
第５の手段は、既製の着物帯を利用した冊子類収容具であり、
既製の着物帯１００の長手方向の一部である帯部Ｂを裁断して、この帯部を、その長手方向と同じ方向に折り重ねるとともに、重ね合わせた帯部分Ｂ１、Ｂ２同士を、幅方向端部ｅで縫い合わせることで、前記帯部を複数層の布地からなる板状体５４に形成して、
既製の着物帯の一面Ｆの形態が板状体５４の表面Ｎ１から裏面Ｎ２に亘って表れるとともに、
既製の着物帯の一面Ｆの幅方向の形態全部が板状体５４の一面の形態として表れるように形成し、
かつ前記板状体５４の一部にポケット部５６を形成してなり、
このポケット部５６は、板状体５４の裏面Ｎ２に、裏面Ｎ２側の布地を切断して開口部５８を形成して、この開口部５８から物品を出し入れ可能な物品収容部６０を裏面Ｎ２側の布地と表面Ｎ１側の布地との間に形成してなる。
【００１７】
本手段は、前述の物品収容具を、図１１に示すような冊子類収容具（例えばパスポート入れ）とした態様を示している。
具体的には、既製の着物帯１００の長手方向の一部である帯部Ｂを裁断して、この帯部を、その長手方向と同じ方向に折り重ねるとともに、重ね合わせた帯部分Ｂ１、Ｂ２同士を、幅方向端部ｅで縫い合わせることで、前記帯部を複数層の布地からなる板状体５４に形成している。
こうすることにより、既製の着物帯の一面Ｆの形態が板状体５４の表面Ｎ１から裏面Ｎ２に亘って表れることになるので、デザイン性が向上する。
そして、前記板状体５４の一部にポケット部５６を形成する。
なお、第１の手段で記載したことは、本手段に援用する。
【発明の効果】
【００１８】
第１の手段に係る発明によれば、既製の着物帯１００の長手方向の一部を裁断して得られた帯部Ｂを意匠として利用したから、例えば家庭内で使われなくなった着物帯を物品収容具の素材として再利用することができ、
前記帯部Ｂの全体を一体として取り込むから、既製の着物帯の重量感を損なわずに再利用することができ、
前記着物帯の幅方向の形態の全部が連続的に表れるように構成したから、既製の着物帯の形態の美しさを毀さずに再利用することができる。
第２の手段に係る発明によれば、第１の手段の効果に加えて、バッグ本体４の少なくとも周壁部Ｐの外面に着物帯の長手方向の一部を裁断した本体用帯部の全体を一体として取り込んだ意匠部Ｄを形成したから、この意匠部Ｄに手で触れることにより、着物帯本来の手触りや重厚感を実感することができる。
第３の手段に係る発明によれば、本体用帯部２２が、前記底部Ｃの下面から前記一対の幅広側部Ｓｗの外面に亘る範囲に亘っているから、着物帯の形態を広い範囲に組み込むことができる。
第４の手段に係る発明によれば、バンド部材３０は、既製の着物帯１００の長手方向の一部であってこの長手方向と同じ向きに長く延びる部分をバンド用帯部３２として裁断するとともに、このバンド用帯部の両端部を一対の幅狭側部に取り付けてなり、かつバンド用帯部３２の幅方向Ｗ２の長さを、本体用帯部２２の幅方向Ｗ１の長さより小としたから、既製の着物帯の利用効率を高めることができ、特に名古屋帯のように幅広の部分と幅狭の部分とを含む既製の着物帯を有効利用することができる。これにより、一本の帯の全体を一つのバッグに使い切ることができる。
第５の手段に係る発明によれば、第１の手段の効果に加えて、製の着物帯の長手方向の一部である帯部Ｂを裁断して、この帯部を、その長手方向と同じ方向に折り重ねるとともに、重ね合わせた帯部分Ｂ１、Ｂ２同士を、幅方向端部ｅで縫い合わせることで、前記帯部を複数層の布地からなる板状体５４に形成して、既製の着物帯の一面Ｆの形態が板状体５４の表面Ｎ１から裏面Ｎ２に亘って表れるように設けたから、デザイン性が向上する。
【図面の簡単な説明】
【００１９】
【図１】本発明の第１実施形態に係る物品収容具の正面図である。
【図２】図１の物品収容具の一方の側部を示す図であり、同図（a）は、一方の側部を外側から見た図、同図（b）は、一方の側部を内側から見た図である。
【図３】図１の物品収容具の他方の側部を示す図であり、同図（a）は、他方の側部を外側から見た図、同図（b）は、他方の側部を内側から見た図である。
【図４】図１の物品収容具の斜視図である。
【図５】図１の物品収容具を正面方向から見た断面図である。
【図６】既製の着物帯から帯部を裁断する作業の説明図である。
【図７】図１の物品収容具の分解斜視図である。
【図８】図７の分解状態から物品収容具を組み立てた状態を模式的に示した図であり、同図（a）は組立状態の平面図を、同図（b）は組立状態の正面図である。
【図９】図１の物品収容具の実施例としてペットを収容した例を示しており、同図（a）は斜め上から見た図、同図（b）は側方から見た図である。
【図１０】図１の物品収容具の変形例の斜視図である。
【図１１】本発明の第２実施形態に係る物品収容具の開いた状態の形態を示す図であり、同図（a）は同状態での外面図、同図（b）は同状態での内面図である。
【図１２】図１１の物品収容具の使用状態の説明図であり、同図（ａ）は閉じた状態を、同図（ｂ）は、開いて開口部に物品を収納した状態をそれぞれ示している。
【図１３】図１１の物品収容具のＸＩＩＩ−ＸＩＩＩ方向の断面図である。
【図１４】同図（a）は、図１１の物品収容具の閉じた状態での外面図であり、使用状態の説明図であり、同図（b）は図１１の物品収容具の閉じた状態での使用態様の説明図である。
【図１５】図１１の物品収容具の変形例を示す図であり、同図（a）は開いた状態での外面図、同図（b）は開いた状態での内面図である。
【発明を実施するための最良の形態】
【００２０】
図１から図１０は、本発明の第１実施形態に係る物品収容具であるバッグ２を示している。
このバッグ２の少なくともバッグ本体４には、例えば図６に示す既製の着物帯１００の長手方向の一部を裁断して本体用帯部２２を形成し、この本体用帯部２２を意匠部Ｄとして取り込んでいる。図示の着物帯は幅広部（並幅部）１０２及び幅狭部（半幅部）１０４を含む名古屋帯であるが、袋帯その他の着物帯を用いても良い。
前記意匠部Ｄを形成する際には次の条件を満たすようにする。
（１）前述の本体用帯部２２の全体を一体として取り込む。
“全体を一体として”とは、着物帯を表地と裏地とに分解することなく、長手方向の一部をそのまま取り込むことを言う。
（２）前記着物帯の幅方向の形態の全部が連続的に表面に表れるように構成する。
“幅方向の形態の全部”が表われるとは、例えば幅方向の端部を切り取ったり、布地の内側に折り込んだりしないことという意味である。
また“連続的に”表われるとは、例えば特許文献２のように布地をテープ状に裁断しないことをいう。
「意匠部」とは、本明細書において、既製の着物帯１００の長手方向の一部の形態をそっくり取り込んだ部位を言うものとする。既製の着物帯は、絵柄を有するもの、無柄のもののどちらでも良い。
本実施形態では、着物帯１００の長手方向と同じ向きに長くなるように本体用帯部２２を裁断している。従って、本体用帯部２２の幅方向Ｗ１と着物帯１００の幅方向Ｗとは一致している。もっともこれらの構成は適宜変更することができる。
本体用帯部の長手方向の端部は、裁断箇所が外側に表れないように従来公知の方法（布地を内側へ折り返すなど）により仕上げるとよい。
【００２１】
本実施形態のバッグ２は、肩掛けバッグであり、バッグ本体４とバンド部材３０とで形成されている。
もっとも手提げバッグとして形成しても良く、またバンド部材３０を省略しても構わない。
【００２２】
前記バッグ本体４は、上面開口のほぼ箱型であり、底部Ｃの周囲から周壁部Ｐを起立している。この周壁部Ｐは、相互に向かい合う一対の幅広側部Ｓｗ及び相互に向かい合う一対の幅狭側部Ｓｎとで構成されている。
【００２３】
前記意匠部Ｄは、前記本体用帯部２２が少なくとも前記周壁部Ｐに表れるように形成している。このようにすることで、既製の着物帯の美的外観だけでなく、利用者が周壁部Ｐを触ることにより、着物帯の手触りや重厚感を味わうことができる。
本実施形態では、前記本体用帯部２２がバッグ本体４の底部Ｃから周壁部Ｐの一対の幅広側部Ｓｗに亘って表れている。こうすることで、広い範囲に着物帯を組み込むことができる。
図示例では、前記本体用帯部２２がバッグ本体４の底部Ｃから幅広側部Ｓｗの上端に亘って延びている。
また本体用帯部２２の幅方向Ｗ１と幅広側部Ｓｗの幅方向Ｗとが一致しており、そして本体用帯部２２の幅方向端部ｅを、隣接する部位の上に縫い付けている。これにより、既製の着物帯の幅方向の形態の全部がバッグ本体４の表面に表れるようにしている。
従って着物帯の幅方向の形態の一部がバッグ本体の表地の内側に折り込まれてしまうことがないので、作者の創作意図が余すことなくバッグの形態に反映される。
図示例では、本体用帯部２２の両側にそれぞれマージンＭをとるように形成している。そのためには、本体用帯部２２の幅方向Ｗ１の長さを、幅広側部Ｓｗの幅方向Ｗの長さより小とするとともに、幅広側部Ｓｗの幅方向Ｗ中間部に本体用帯部２２を配置すればよい。そして前記マージンＭの縁部ｍ１の上に本体用帯部２２の幅方向端部ｅを縫い付けている。
なお、縫い付けの手段としては、厚手の布を縫うのに適した工業用ミシンを使用すればよい。
【００２４】
前記バンド部材３０は、前記一対の幅狭側部Ｓｎの間に架け渡されている。本実施形態では、既製の着物帯１００の長手方向の一部を裁断してバンド用帯部３２とし、このバンド用帯部３２から前記バンド部材３０を形成している。
一つのバッグ２のバッグ本体４とバンド部材３０とにそれぞれ既製の着物帯の形態を取り入れることにより、着物帯の再利用を促進することができる。
図示例のバンド用帯部３２の幅は、本体用帯部２２の幅より小さい。こうした場合に、好適な実施例として、一本の既製の着物帯（例えば名古屋帯）の幅狭部１０４からバンド用帯部３２を、また同じ着物帯の幅広部１０２から本体用帯部２２をそれぞれ切り取ることができる。これにより、一本の着物帯中の再利用率を高めることができる。
前述の名古屋帯では、幅広部を並幅部に、幅狭部を並幅部の半分の幅を有する半幅部にそれぞれ形成している。従ってバンド用帯部３２の幅は、本体用帯部２２の幅の半分以下とすることが好ましい。図示例の場合、バンド用帯部３２の幅を本体用帯部の幅の半分としても、なお、バンド部材としては幅広に過ぎる。そこで、バンド部材の長手方向中間部において、幅方向の両側部分（バンド部材の全幅の１／４に相当する部分）を折返し部３３として内側へ折返し、幅方向の中間部分に縫い付けている。
バンド部材の長手方向の両側部は、図２及び図３に示すようにその幅方向ｗ２の一対の端部ｅにおいて前記幅狭側部Ｓｎに縫い付けられている。
【００２５】
前記構成によれば、既製の着物帯１００の長手方向の一部を裁断して得られた本体用帯部２２を、バッグ本体４の意匠部Ｄとして利用したから、例えば家庭内で使われなくなった着物帯を物品収容具の素材として再利用することができる。
意匠部Ｄとして着物帯を利用する理由は、老若男女を問わずに広い需要者層に対して普遍的な美観を発揮し得る着物帯をバッグにリメイクし、ユーザーにその意匠部を目で見て或いは手で触れてもらうことで、着物帯の意匠の優秀性を世間に広めるためである。
特に着物帯の季節感を考慮して、使用する時期に応じて着物帯をリメイクした複数のバッグを使い分けると更に好適である。例えば寒い時期には厚みのある着物帯を取り込んだバッグを使用することで、快適な使用感が得られる。
また前記帯部着物帯の幅方向の形態の全部が連続的に表れるように構成したから、既製の着物帯の形態の美しさを毀さずに再利用することができる。
【００２６】
［実施例］
（１）バッグ本体４の構成
本実施例のバッグ本体４は、図７に示す如く、内装体６と、外装体１０と、本体用帯部２２とで構成されている。
前記内装体６は、上端開口の箱形であり、ほぼ長方形状の内底部６ａの短辺から左右一対の短手側部６ｂを、内底部６ａの長辺から前後一対の長手側部６ｃをそれぞれ起立している。
前記長手側部６ｃの外面には接着芯（図示せず）を貼着するとよい。
前記外装体１０は、前記内底部Ｃの下面を覆うほぼ長方形状の外底部１２を有し、この外底部１２の短辺から前記短手側部６ｂの外面を覆う左右一対の側面部１４を起立している。この側面部１４の上端部は前記短手側部６ｂの上端に縫い付けられている。
そして両側面部１４の前端から、左右方向の内側へ延びる左右一対の前側の取付面部２０を、また両側面部１４の後端から、左右方向の内側へ延びる左右一対の後側の取付面部２０をそれぞれ設けている。各取付面部２０は、前述のマージンＭを形成している。
各取付面部２０の下端部は前記外底部Ｃの長辺の左右方向両端部に連続している。また前記左右一対の取付面部２０の上端部は、前記長手側部６ｃの上端部にそれぞれ縫い付けられている。
前記本体用帯部２２は、左右方向に長い外底部Ｃと交差させて、この外底部Ｃの長手方向中間部の下側から前後方向に本体用帯部２２の両側部を突出するとともに、これら両側部の幅方向の両側を前記取付面部２０の縁部ｍ１の上に重ねて、本体用帯部２２の一対の幅方向端部ｅを、下底部Ｃから取付面部２０の縁部ｍ１に亘って縫い付けている。
これら内装体６と外装体１０と本体用帯部２２とで前記バッグ本体４の周壁部Ｐが形成されている。
なお、前記内底部Ｃの上に、図５に示す如く、補助底４０を載置しても良い。
（２）バンド部材の構成
図示のバンド部材３０は、図１に示す如く、一方の幅狭側部Ｓｎから突設された第１バンド部分３０ａと、他方の幅狭側部Ｓｎから突設された第２バンド部分３０ｂとで形成されている。両バンドの先端部に相互に着脱可能な第１面ファスナー３４及び第２面ファスナー３６を形成している。
図示例では、第１バンド部分３０ａを第２バンド部分３０ｂより長く設けるとともに、前記他方の短手側部６ｂの外面に、第１バンド部分３０ａの第１面ファスナー３４に着脱可能な第３面ファスナー１６を形成している。この第３面ファスナー１６を使用する場合には、第２バンド部分３０ｂは使用せずに例えばバッグ本体内に入れておくことができる。そして第１バンド部分３０ａの第１面ファスナー３４を、第３面ファスナー１６に貼り付けることにより、バンド部材３０の長さを短くすることができ、手提げカバンの持ち手として使用することができる。実施形態では、第３面ファスナー１６を縦方向に複数（図示例では２個）設けることにより、さらに細かく長さを調整することができる。
さらに前記一方の短手側部６ｂには補助ポケット１８が設けられている。第２バンド部分３０ｂの先端部には、既製の着物帯に使用する帯紐３８を付設している。この帯紐３８は、第１バンド部分３０ａ及び第２バンド部分３０ｂの回りに巻装している。
上記の構成により、下記の３種類の使い方が可能であり、使い道の自由度が大きいフリーバッグを提供できる。
（イ）バンド部材を肩に掛けて肩掛けカバンとして使用する。
（ロ）バンド部材の一端を外してバンド部材を、たすきのようにバッグ本体４とは反対側の肩に掛けて使用することができる。
（ハ）手提げとして利用できる。
また実施例の構成では、右手利き及び左手利きのどちらでもスムーズに使用でき、使い勝手がよい。
（３）ペット収容用の補助バンド及び延長突片
本発明のバッグは、物品だけでなくペットを収容することに利用できる。ペットの収容に有利な構成として補助バンド４２及び延長突片Ｔを採用している。
補助バンド４２は、ペットの首輪に連結するための道具である。補助バンド４２の一端は、内装体６の内面に固定された固定端部４２ａであり、補助バンド４２の他端には、首輪に連結するためにフック４２ｂが取り付けられている。
好適な図示例では、前記固定端部４２ａは、前記長手側部６ｃの上部の幅方向中間箇所に固定されている。これにより補助バンド４２がペットの身体に巻き付いたりして、ペットの動きを制限することを回避できる。
前記延長突片Ｔは、前記幅広側部Ｓｗの上端部を、幅狭側部Ｓｎに比べて上方へ延長することで形成される。
延長突片Ｔは柔軟であり、ペットの首が触れたときの当たりを和らげるように形成している。
図示例では、内装体６の長手側部６ｃの上端部である内側突片８に、取付面部２０の上端部乃至本体用帯部２２の上端部である外側突片２１、２６を縫い付けて形成している。
なお、延長突片は、ペットを収容する場合に限らず適用することができる。利用者がバッグに手を入れるときに、利用者の腕が広幅側部に当たる可能性があるが、延長突片Ｔを設けることにより、その当たりを柔らかなものとすることができる。
【００２７】
図１０は、本実施形態の変形例を示している。本例では、バッグ本体４の周壁部Ｐの全周に亘って本体用帯部２２を巻き付けている。
周壁部Ｐの上部及び下部にはそれぞれマージンＭを形成し、下側のマージンＭの上縁部及び上側のマージンＭの下縁部に上に本体用帯部２２の幅方向端部ｅを重ねて縫い付けている。
好適な一例として、内装体６の内底部６ａの周辺部から接着芯で補強された内周壁部を起立するとともに、内底部６ａ下面を覆う下底部１２の周辺部から、下側マージンである下側表地を上方へ突出して、内周壁部の下部に縫い付け、さらに内周壁部の上部に上側のマージンＭである上側表地を縫い付けることができる。
【００２８】
図１１から図１５は、本発明の第２実施形態の物品収容具である冊子類収容具を示している。冊子類とは、例えばパスポート、手帳、定期券などのカード状物などをいう。冊子類収納具は、冊子類を収納できればよく、それ以外の小物を収納しても構わない。
この冊子類収容具５０は、既製の着物帯１００から得た板状体５４から形成される。
具体的には、既製の着物帯１００の長手方向の一部である帯部Ｂ（板状体形成用帯部５２）を裁断し、この帯部を、その長手方向と直交する折返し線６１で長手方向と同じ方向に折り返して重ねるとともに、重ね合わせた帯部分Ｂ１、Ｂ２同士を、幅方向端部ｅで縫い合わせることで、前記帯部を複数層の布地Ｌ１、Ｌ２、Ｌ３、Ｌ４からなる板状体５４に形成している。各帯部分の長手方向の端部は、裁断箇所が外側に表れないように、布地を折り返して縫い付けることが望ましい（図１３参照）。
この板状体５４は、既製の着物帯１００の長手方向の一部である帯部Ｂをそのまま利用しているので、既製の着物帯の一面Ｆの幅方向の形態全部が板状体５４の一面の形態として表れる。
また帯部を、その長手方向と同じ方向に折り重ねるとともに、重ね合わせた帯部分同士を、幅方向端部ｅで縫い合わせているから、既製の着物帯の一面Ｆの形態が板状体５４の表面Ｎ１から裏面Ｎ２に亘って表れるので、デザインとしての統一性が高い。
なお、図示例では、既製の着物帯として袋帯を用いているが、名古屋帯を用いても構わない。
前記板状体５４の一部には第１ポケット部５６を形成している。
この第１ポケット部５６は、図１３に示す如く、板状体５４の裏面Ｎ２に、裏面Ｎ２側の布地Ｌ３、Ｌ４を切断して開口部５８を形成して、この開口部５８から物品を出し入れ可能な物品収容部６０を裏面Ｎ２側の布地Ｌ３、Ｌ４と表面Ｎ１側の布地Ｌ１、Ｌ２との間に形成してなる。
図示例では、前記板状体５４の幅方向中間部に２本の折目線６２で挟まれる背部６４を形成して、冊子のように開閉可能に設けている。
そして閉状態から開状態となる閉じた状態とすると、冊子の外側のデザインと同じデザインが冊子の内側に表れるので、美観が向上する。
図示例では、前記背部６４の両側に左右対称に前記第１ポケット部５６を形成している。従って右利き、左利きの何れの利用者にとっても使い易い。
図示例では、前述の帯部Ｂのうちで板状体５４の外側を形成する第１帯部分Ｂ１に比べて、前記折返し線６１を境として内側へ折り返した第２帯部分Ｂ１を短くしており、折り返した帯部分の先部を外側の帯部分に縫い付けている。
また図示例では、第２帯部分Ｂ２の先端部（図１１（Ｂ）における上端部）を第１帯部分Ｂ１に縫い付けずに、第２ポケット部６８に形成している。
また板状体の裏面Ｎ２の適所（図示例では第２帯部分Ｂ２の上端部の左右両側）に、前記冊子の閉鎖状態で相互に付着する第４面ファスナー６６を形成している。
図１４から図１５は、本実施形態の変形例を示している。この変形例では、前述の帯部Ｂのうちで板状体５４の外側を形成する第１帯部分Ｂ１と、前記折返し線６１を境として内側へ折り返した第２帯部分Ｂ２とを同じ長さとしており、両部分の先端部（折返し線と反対側の端部）で相互に縫い付けている。
本例では、第１帯部分Ｂ１及び第２帯部分Ｂ２の先端部（図１４での上端部）は相互に縫い付けられており、前述の第２ポケット部は形成されていない。
【符号の説明】
【００２９】
２…バッグ
４…バッグ本体  ６…内装体  ６ａ…内底部  ６ｂ…短手側部
６ｃ…長手側部  ８…内側突片
１０…外装体  １２…外底部  １４…側面部
１６…第３面ファスナー  １８…補助ポケット
２０…取付面部  ２１…外側突片
２２…本体用帯部  ２４…短手方向端部  ２６…外側突片
３０…バンド部材  ３０ａ…第１バンド部分  ３０ｂ…第２バンド部分
３２…バンド用帯部  ３３…折返し部
３４…第１面ファスナー  ３６…第２面ファスナー  ３８…帯紐
４０…補助底  ４２…補助バンド  ４２ａ…固定端部  ４２ｂ…フック
５０…物品収容具（冊子類収容具）  ５２…帯部  ５４…板状体  
５６…ポケット部  ５８…開口部  ６０…物品収容部  ６１…折返し線  ６２…折目線
６４…背部  ６６…第４面ファスナー  ６８…補助ポケット
１００…着物帯  １０２…幅広部  １０４…幅狭部
Ｂ…帯部  Ｂ１…第１帯部分  Ｂ２…第２帯部分  Ｃ…底部  Ｄ…意匠部
ｅ…幅方向端部  Ｆ…（着物帯の）一面
Ｐ…周壁部  
Ｌ１、Ｌ２、Ｌ３、Ｌ４…布地層  Ｍ…マージン  ｍ１…取付用縁部
Ｎ１…表面  Ｎ２…裏面
ｓ…縫い目  Ｓｗ…幅広側部  Ｓｎ…幅狭側部  
Ｔ…延長突片  Ｗ…幅広側部の幅方向
Ｗ１…本体用帯部の幅方向  Ｗ２…バンド用帯部の幅方向  
【図１】
2020018495.tif 000003
【図２】
2020018495.tif 000004
【図３】
2020018495.tif 000005
【図４】
2020018495.tif 000006
【図５】
2020018495.tif 000007
【図６】
2020018495.tif 000008
【図７】
2020018495.tif 000009
【図８】
2020018495.tif 000010
【図９】
2020018495.tif 000011
【図１０】
2020018495.tif 000012
【図１１】
2020018495.tif 000013
【図１２】
2020018495.tif 000014
【図１３】
2020018495.tif 000015
【図１４】
2020018495.tif 000016
【図１５】
2020018495.tif 000017
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
既製の着物帯(１００)の長手方向の一部を裁断して得られた帯部(Ｂ)の全体を一体として取り込み、当該帯部(Ｂ)を意匠として利用したバッグであって、
底部(Ｃ)の周囲から、一対の幅広側部(Ｓｗ)及び一対の幅狭側部(Ｓｎ)で形成される周壁部(Ｐ)を起立しており、
前記底部(Ｃ)の下面から一対の幅広側部(Ｓｗ)に亘って前記帯部(Ｂ)を組み込み、
かつ前記着物帯の幅方向の形態の全部が連続的に表面に表れるように構成したことを特徴とする、既製の着物帯を利用したバッグ。
【請求項２】
上面開口のバッグ本体(４)の外面に意匠部(Ｄ)を形成しており、
前記バッグ本体(４)は、底部(Ｃ)の周囲から周壁部(Ｐ)を起立しており、
前記意匠部(Ｄ)は、既製の着物帯から、この着物帯の長手方向の一部である本体用帯部(２２)として裁断するとともに、この本体用帯部(２２)の全体を一体として、前記バッグ本体(４)の少なくとも前記周壁部(Ｐ)に組み込むことで形成されており、
かつ意匠部(Ｄ)と隣接する周壁部分の上に前記本体用帯部(２２)の幅方向の端部(ｅ)を縫い付けることにより、着物帯の幅方向の形態の全部が連続的にバッグ本体(４)の表面に表れるように構成された既製の着物帯を利用したバッグにおいて、
前記周壁部(Ｐ)は、相互に向かい合う一対の幅広側部(Ｓｗ)及び相互に向かい合う一対の幅狭側部(Ｓｎ)とで構成されており、
前記本体用帯部(２２)は、着物帯(１００)の長手方向に長く延びており、
この本体用帯部(２２)を、前記底部(Ｃ)の下面から前記一対の幅広側部(Ｓｗ)の外面に亘って組み込むことで前記意匠部(Ｄ)を形成しており、
前記本体用帯部(２２)の幅方向(Ｗ１)と前記幅広側部(Ｓｗ)の幅方向(Ｗ)とが一致していることを特徴とする、既製の着物帯を利用したバッグ。
【請求項３】
前記一対の幅狭側部(Ｓｎ)の間に架け渡されたバンド部材(３０)を有し、
このバンド部材(３０)は、既製の着物帯(１００)の長手方向の一部であってこの長手方向と同じ向きに長く延びる部分をバンド用帯部(３２)として裁断するとともに、このバンド用帯部の両端部を前記一対の幅狭側部(Ｓｎ)に取り付けてなり、
前記バンド用帯部(３２)の幅方向(Ｗ２)の長さを、前記本体用帯部(２２)の幅方向(Ｗ１)の長さより小としたことを特徴とする、請求項２に記載の既製の着物帯を利用したバッグ。
【請求項４】
既製の着物帯(１００)の長手方向の一部を裁断して得られた帯部(Ｂ)の全体を一体として取り込み、当該帯部(Ｂ)を意匠として利用したバッグであって、
底部(Ｃ)の周囲から、上面開口の周壁部(Ｐ)を起立しており、
この周壁部(Ｐ)に前記帯部(Ｂ)の全体を一体として取り込むように、前記帯部(Ｂ)を前記周壁部(Ｐ)に巻き付け、
かつ前記着物帯の幅方向の形態の全部が連続的に表面に表れるように構成したことを特徴とする、既製の着物帯を利用したバッグ。
【請求項５】
既製の着物帯(１００)の長手方向の一部である帯部(Ｂ)を裁断して、この帯部を、その長手方向と同じ方向に折り重ねるとともに、重ね合わせた帯部分(Ｂ１、Ｂ２)同士を、幅方向端部(ｅ)で縫い合わせることで、前記帯部(Ｂ)を複数層の布地からなる板状体(５４)に形成しており、
前記重ね合わせた帯部分(Ｂ１、Ｂ２)の一方である第１帯部分(Ｂ１)と他方である第２帯部分(Ｂ２)とは折返し線(６１)を介して折り返されており、
既製の着物帯は、表地である第１布地及び裏地である第２布地からなり、この既製の着物帯の第１布地側の一面(Ｆ)の形態が板状体(５４)の表面(Ｎ１)から裏面(Ｎ２)に亘って表れるとともに、
既製の着物帯の前記一面(Ｆ)の幅方向の形態全部が板状体(５４)の一面の形態として表れるように形成し、
かつ前記板状体(５４)の第２帯部分(Ｂ２)に第１ポケット部(５６)を、第１帯部分(Ｂ１)及び第２帯部分(Ｂ２)との間に第２ポケット部(６８)をそれぞれ形成しており、
前記第１ポケット部(５６)は、板状体(５４)の裏面(Ｎ２)に、裏面(Ｎ２)側の第１布地(Ｌ４)を切断して開口部(５８)を形成して、この開口部(５８)から物品を出し入れ可能な物品収容部(６０)を裏面(Ｎ２)側の第１布地(Ｌ４)及び第２布地(Ｌ３)との間に形成してなり、
前記第２ポケット部(６８)は、前記折返し線(６１)の反対側に開口していることを特徴とする、既製の着物帯を利用した冊子類収容具。
【手続補正３】
【補正対象書類名】明細書
【補正対象項目名】０００１
【補正方法】変更
【補正の内容】
【０００１】
本発明は、既製の着物帯を利用したバッグ及び冊子類収容具に関する。
【手続補正４】
【補正対象書類名】明細書
【補正対象項目名】０００３
【補正方法】変更
【補正の内容】
【０００３】
【特許文献１】特許第５９９３０６９号
【特許文献２】特開２００５−２１８７３６
【手続補正５】
【補正対象書類名】明細書
【補正対象項目名】０００７
【補正方法】変更
【補正の内容】
【０００７】
本発明の第１の目的は、既製の着物帯の長手方向の形態の一部をそっくり取り込んだバッグ及び冊子類収容具を提供することである。
本発明の第２の目的は、既製の着物帯の幅方向の形態の全部を連続的に取り込んだバッグ及び冊子類収容具を提供することである。
本発明の第３の目的は、使い方の自由度が大きい、フリータイプのバッグ及び冊子類収容具を提供することである。
【手続補正６】
【補正対象書類名】明細書
【補正対象項目名】０００８
【補正方法】変更
【補正の内容】
【０００８】
第１の手段は、既製の着物帯を利用したバッグである。このバッグは、
既製の着物帯１００の長手方向の一部を裁断して得られた帯部Ｂの全体を一体として取り込み、当該帯部Ｂを意匠として利用したバッグであって、
底部Ｃの周囲から、一対の幅広側部Ｓｗ及び一対の幅狭側部Ｓｎで形成される周壁部Ｐを起立しており、
前記底部Ｃの下面から一対の幅広側部Ｓｗに亘って前記帯部Ｂを組み込み、
かつ前記着物帯の幅方向の形態の全部が連続的に表面に表れるように構成している。
【手続補正７】
【補正対象書類名】明細書
【補正対象項目名】０００９
【補正方法】変更
【補正の内容】
【０００９】
本手段は、図１に示す既製の着物帯を利用したバッグを提案している。
本発明の第１の要点は、既製の着物帯１００の長手方向の一部を裁断して得られた帯部Ｂを意匠として利用したバッグにおいて、前記帯部Ｂの全体を一体として取り込んでことである。帯部Ｂの全体を一体として取り込むとは、例えば前述の先行技術のように既製の着物帯を表地及び裏地に分解することなく、長手方向の一部の形態をそのまま取り込むことを意味する。従って、着物帯独特の形態、例えば重厚感を損なうことがない。
本発明の第２の要点は、前記着物帯の幅方向の形態の全部が連続的にバッグの表面に表れるように構成していることである。これにより、着物帯を作成した職人が意図した形態をできるだけ損なわずにバッグに取り込むことができる。
本発明の第３の要点は、バッグ本体４の周壁部Ｐに、既製の着物帯の長手方向の一部である帯部Ｂを取り込んで意匠部Ｄを構成していることである。
こうすることにより、意匠部Ｄを利用者が手に触れることにより、本物の着物帯の手触りや重厚感を実感することができる。
本手段では、前記帯部Ｂは底部Ｃの下面から一対の幅広側部Ｓｗに亘って組み込まれている。
なお、前記周壁部Ｐは自立可能であることが望ましい。
【手続補正８】
【補正対象書類名】明細書
【補正対象項目名】００１０
【補正方法】変更
【補正の内容】
【００１０】
第２の手段は、上面開口のバッグ本体４の外面に意匠部Ｄを形成しており、
前記バッグ本体４は、底部Ｃの周囲から周壁部Ｐを起立しており、
前記意匠部Ｄは、既製の着物帯から、この着物帯の長手方向の一部である本体用帯部２２として裁断するとともに、この本体用帯部２２の全体を一体として、前記バッグ本体４の少なくとも前記周壁部Ｐに組み込むことで形成されており、
かつ意匠部Ｄと隣接する周壁部分の上に前記本体用帯部２２の幅方向の端部ｅを縫い付けることにより、着物帯の幅方向の形態の全部が連続的にバッグ本体４の表面に表れるように構成された既製の着物帯を利用したバッグにおいて、
前記周壁部Ｐは、相互に向かい合う一対の幅広側部Ｓｗ及び相互に向かい合う一対の幅狭側部Ｓｎとで構成されており、
前記本体用帯部２２は、着物帯１００の長手方向に長く延びており、
この本体用帯部２２を、前記底部Ｃの下面から前記一対の幅広側部Ｓｗの外面に亘って組み込むことで前記意匠部Ｄを形成しており、
前記本体用帯部２２の幅方向Ｗ１と前記幅広側部Ｓｗの幅方向Ｗとが一致している。
【手続補正９】
【補正対象書類名】明細書
【補正対象項目名】００１１
【補正方法】変更
【補正の内容】
【００１１】
本手段は、図１に示す既製の着物帯を利用したバッグを更に具体的に提案している。
なお、第１の手段で記載した本発明の第１、第２、第３の要点は、本手段に援用する。
また本手段では、図１に示すように、本体用帯部２２を、前記底部Ｃの下面から前記一対の幅広側部Ｓｗの外面に亘って組み込んでいる。このようにすることで、既製の着物帯を意匠として適用できる範囲が拡大し、一本の着物帯のうちで本発明に適用できる部分が広がる。
【手続補正１０】
【補正対象書類名】明細書
【補正対象項目名】００１２
【補正方法】変更
【補正の内容】
【００１２】
第３の手段は、第２の手段を有し、
前記一対の幅狭側部Ｓｎの間に架け渡されたバンド部材３０を有し、
このバンド部材３０は、既製の着物帯１００の長手方向の一部であってこの長手方向と同じ向きに長く延びる部分をバンド用帯部３２として裁断するとともに、このバンド用帯部の両端部を前記一対の幅狭側部Ｓｎに取り付けてなり、
前記バンド用帯部３２の幅方向Ｗ２の長さを、前記本体用帯部２２の幅方向Ｗ１の長さより小とした。
【手続補正１１】
【補正対象書類名】明細書
【補正対象項目名】００１３
【補正方法】変更
【補正の内容】
【００１３】
本手段は、図１に示すように、バッグ本体４に取り付けられたバンド部材３０に、既製の着物帯１００の長手方向の一部を取り込む形態を示している。これにより、一つのバッグ中において既製の着物帯を適用できる範囲がさらに広がる。
前記バンド用帯部３２の幅方向Ｗ２の長さを、前記本体用帯部２２の幅方向Ｗ１の長さより小である。これにより、既製の着物帯が、長手方向の一部が他の部分より幅広であるのもの(いわゆる名古屋帯)である場合、既製の着物の幅広の部分を本体用帯部に、幅狭の部分をバンド用帯部に使い分けることができる。もっとも、本手段の適用は、名古屋帯タイプのものに限定される訳ではない。
【手続補正１２】
【補正対象書類名】明細書
【補正対象項目名】００１４
【補正方法】変更
【補正の内容】
【００１４】
第４の手段は、既製の着物帯を利用したバッグである。このバッグは、
既製の着物帯１００の長手方向の一部を裁断して得られた帯部Ｂの全体を一体として取り込み、当該帯部Ｂを意匠として利用したバッグであって、
底部Ｃの周囲から、上面開口の周壁部Ｐを起立しており、
この周壁部Ｐに前記帯部Ｂの全体を一体として取り込むように、前記帯部Ｂを前記周壁部Ｐに巻き付け、
かつ前記着物帯の幅方向の形態の全部が連続的に表面に表れるように構成した。
【手続補正１３】
【補正対象書類名】明細書
【補正対象項目名】００１５
【補正方法】変更
【補正の内容】
【００１５】
本手段は、既製の着物帯を利用したバッグとして、図１０に示すように、前記帯部Ｂを前記周壁部Ｐに巻き付けた態様を示している。
第１の手段に記載した本発明の第１、第２、第３の要点は本手段に援用する。
【手続補正１４】
【補正対象書類名】明細書
【補正対象項目名】００１６
【補正方法】変更
【補正の内容】
【００１６】
第５の手段は、既製の着物帯を利用した冊子類収容具であり、
既製の着物帯１００の長手方向の一部である帯部Ｂを裁断して、この帯部を、その長手方向と同じ方向に折り重ねるとともに、重ね合わせた帯部分Ｂ１、Ｂ２同士を、幅方向端部ｅで縫い合わせることで、前記帯部Ｂを複数層の布地からなる板状体５４に形成しており、
前記重ね合わせた帯部分Ｂ１、Ｂ２の一方である第１帯部分Ｂ１と他方である第２帯部分Ｂ２とは折返し線６１を介して折り返されており、
既製の着物帯は、表地である第１布地及び裏地である第２布地からなり、この既製の着物帯の第１布地側の一面Ｆの形態が板状体５４の表面Ｎ１から裏面Ｎ２に亘って表れるとともに、
既製の着物帯の前記一面Ｆの幅方向の形態全部が板状体５４の一面の形態として表れるように形成し、
かつ前記板状体５４の第２帯部分Ｂ２に第１ポケット部５６を、第１帯部分Ｂ１及び第２帯部分Ｂ２との間に第２ポケット部６８をそれぞれ形成しており、
前記第１ポケット部５６は、板状体５４の裏面Ｎ２に、裏面Ｎ２側の第１布地Ｌ４を切断して開口部５８を形成して、この開口部５８から物品を出し入れ可能な物品収容部６０を裏面Ｎ２側の第１布地Ｌ４及び第２布地Ｌ３との間に形成してなり、
前記第２ポケット部６８は、前記折返し線６１の反対側に開口している。
【手続補正１５】
【補正対象書類名】明細書
【補正対象項目名】００１７
【補正方法】変更
【補正の内容】
【００１７】
本手段は、前述の物品収容具を、図１１に示すような冊子類収容具(例えばパスポート入れ)とした態様を示している。
具体的には、既製の着物帯１００の長手方向の一部である帯部Ｂを裁断して、この帯部を、その長手方向と同じ方向に折り重ねるとともに、重ね合わせた帯部分Ｂ１、Ｂ２同士を、幅方向端部ｅで縫い合わせることで、前記帯部を複数層の布地からなる板状体５４に形成している。
こうすることにより、既製の着物帯の一面Ｆの形態が板状体５４の表面Ｎ１から裏面Ｎ２に亘って表れることになるので、デザイン性が向上する。
そして、前記板状体５４には、前述の第１ポケット部５６及び第２ポケット部６８を形成する。
なお、第１の手段で記載したことは、本手段に援用する。
【手続補正１６】
【補正対象書類名】明細書
【補正対象項目名】００１８
【補正方法】変更
【補正の内容】
【００１８】
第１の手段、第２の手段、第４の手段に係る発明によれば、第１に、既製の着物帯１００の長手方向の一部を裁断して得られた帯部Ｂを意匠として利用したから、例えば家庭内で使われなくなった着物帯を物品収容具の素材として再利用することができ、
第２に、前記帯部Ｂの全体を一体として取り込むから、既製の着物帯の重量感を損なわずに再利用することができ、
第３に、前記着物帯の幅方向の形態の全部が連続的に表れるように構成したから、既製の着物帯の形態の美しさを毀さずに再利用することができ、
第４に、前記バッグ本体４の少なくとも周壁部Ｐの外面に着物帯の長手方向の一部を裁断した本体用帯部の全体を一体として取り込んだ意匠部Ｄを形成したから、この意匠部Ｄに手で触れることにより、着物帯本来の手触りや重厚感を実感することができる。
また第２の手段に係る発明によれば、本体用帯部２２が、前記底部Ｃの下面から前記一対の幅広側部Ｓｗの外面に亘る範囲に亘っているから、着物帯の形態を広い範囲に組み込むことができる。
第３の手段に係る発明によれば、バンド部材３０は、既製の着物帯１００の長手方向の一部であってこの長手方向と同じ向きに長く延びる部分をバンド用帯部３２として裁断するとともに、このバンド用帯部の両端部を一対の幅狭側部に取り付けてなり、かつバンド用帯部３２の幅方向Ｗ２の長さを、本体用帯部２２の幅方向Ｗ１の長さより小としたから、既製の着物帯の利用効率を高めることができ、特に名古屋帯のように幅広の部分と幅狭の部分とを含む既製の着物帯を有効利用することができる。これにより、一本の帯の全体を一つのバッグに使い切ることができる。
第５の手段に係る発明によれば、第１の手段で述べた第１、第２、第３の効果に加えて、製の着物帯の長手方向の一部である帯部Ｂを裁断して、この帯部を、その長手方向と同じ方向に折り重ねるとともに、重ね合わせた帯部分Ｂ１、Ｂ２同士を、幅方向端部ｅで縫い合わせることで、前記帯部を複数層の布地からなる板状体５４に形成して、既製の着物帯の一面Ｆの形態が板状体５４の表面Ｎ１から裏面Ｎ２に亘って表れるように設けたから、デザイン性が向上する。
【手続補正１７】
【補正対象書類名】明細書
【補正対象項目名】００２０
【補正方法】変更
【補正の内容】
【００２０】
図１から図１０は、本発明の第１実施形態に係る物品収容具であるバッグ２を示している。
このバッグ２の少なくともバッグ本体４には、例えば図６に示す既製の着物帯１００の長手方向の一部を裁断して本体用帯部２２を形成し、この本体用帯部２２を意匠部Ｄとして取り込んでいる。図示の着物帯は幅広部(並幅部)１０２及び幅狭部(半幅部)１０４を含む名古屋帯であるが、袋帯その他の着物帯を用いても良い。
前記意匠部Ｄを形成する際には次の条件を満たすようにする。
(１)前述の本体用帯部２２の全体を一体として取り込む。
“全体を一体として”とは、着物帯を表地(第１布地という)と裏地(第２布地という)とに分解することなく、長手方向の一部をそのまま取り込むことを言う。
(２)前記着物帯の幅方向の形態の全部が連続的に表面に表れるように構成する。
“幅方向の形態の全部”が表われるとは、例えば幅方向の端部を切り取ったり、布地の内側に折り込んだりしないことという意味である。
また“連続的に”表われるとは、例えば特許文献２のように布地をテープ状に裁断しないことをいう。
「意匠部」とは、本明細書において、既製の着物帯１００の長手方向の一部の形態をそっくり取り込んだ部位を言うものとする。既製の着物帯は、絵柄を有するもの、無柄のもののどちらでも良い。
本実施形態では、着物帯１００の長手方向と同じ向きに長くなるように本体用帯部２２を裁断している。従って、本体用帯部２２の幅方向Ｗ１と着物帯１００の幅方向Ｗとは一致している。もっともこれらの構成は適宜変更することができる。
本体用帯部の長手方向の端部は、裁断箇所が外側に表れないように従来公知の方法(布地を内側へ折り返すなど)により仕上げるとよい。
【手続補正１８】
【補正対象書類名】明細書
【補正対象項目名】００２８
【補正方法】変更
【補正の内容】
【００２８】
図１１から図１５は、本発明の第２実施形態の物品収容具である冊子類収容具を示している。冊子類とは、例えばパスポート、手帳、定期券などのカード状物などをいう。冊子類収納具は、冊子類を収納できればよく、それ以外の小物を収納しても構わない。
この冊子類収容具５０は、既製の着物帯１００から得た板状体５４から形成される。
具体的には、既製の着物帯１００の長手方向の一部である帯部Ｂ(板状体形成用帯部５２)を裁断し、この帯部を、その長手方向と直交する折返し線６１で長手方向と同じ方向に折り返して重ねるとともに、重ね合わせた帯部分Ｂ１、Ｂ２同士を、幅方向端部ｅで縫い合わせることで、前記帯部を複数層の布地Ｌ１、Ｌ２、Ｌ３、Ｌ４からなる板状体５４に形成している。布地Ｌ１及び布地Ｌ４は、着物帯の第１布地(表地)であり、布地Ｌ２及び布地Ｌ３は、着物帯の第２布地(裏地)である。各帯部分の長手方向の端部は、裁断箇所が外側に表れないように、布地を折り返して縫い付けることが望ましい(図１３参照)。
この板状体５４は、既製の着物帯１００の長手方向の一部である帯部Ｂをそのまま利用しているので、既製の着物帯の一面Ｆの幅方向の形態全部が板状体５４の一面の形態として表れる。
また帯部を、その長手方向と同じ方向に折り重ねるとともに、重ね合わせた帯部分同士を、幅方向端部ｅで縫い合わせているから、既製の着物帯の一面Ｆの形態が板状体５４の表面Ｎ１から裏面Ｎ２に亘って表れるので、デザインとしての統一性が高い。
なお、図示例では、既製の着物帯として袋帯を用いているが、名古屋帯を用いても構わない。
前記板状体５４の一部には第１ポケット部５６を形成している。
この第１ポケット部５６は、図１３に示す如く、板状体５４の裏面Ｎ２に、裏面Ｎ２側の布地Ｌ４を切断して開口部５８を形成して、この開口部５８から物品を出し入れ可能な物品収容部６０を裏面Ｎ２側の布地Ｌ３と布地Ｌ４との間に形成してなる。
図示例では、前記板状体５４の幅方向中間部に２本の折目線６２で挟まれる背部６４を形成して、冊子のように開閉可能に設けている。
そして閉状態から開状態となる閉じた状態とすると、冊子の外側のデザインと同じデザインが冊子の内側に表れるので、美観が向上する。
図示例では、前記背部６４の両側に左右対称に前記第１ポケット部５６を形成している。従って右利き、左利きの何れの利用者にとっても使い易い。
図示例では、前述の帯部Ｂのうちで板状体５４の外側を形成する第１帯部分Ｂ１に比べて、前記折返し線６１を境として内側へ折り返した第２帯部分Ｂ１を短くしており、折り返した帯部分の先部を外側の帯部分に縫い付けている。
また図示例では、第２帯部分Ｂ２の先端部(図１１(Ｂ)における上端部)を第１帯部分Ｂ１に縫い付けずに、第２ポケット部６８に形成している。
また板状体の裏面Ｎ２の適所(図示例では第２帯部分Ｂ２の上端部の左右両側)に、前記冊子の閉鎖状態で相互に付着する第４面ファスナー６６を形成している。
図１４から図１５は、本実施形態の変形例を示している。この変形例では、前述の帯部Ｂのうちで板状体５４の外側を形成する第１帯部分Ｂ１と、前記折返し線６１を境として内側へ折り返した第２帯部分Ｂ２とを同じ長さとしており、両部分の先端部(折返し線と反対側の端部)で相互に縫い付けている。
本例では、第１帯部分Ｂ１及び第２帯部分Ｂ２の先端部(図１４での上端部)は相互に縫い付けられており、前述の第２ポケット部は形成されていない。